(57)【要約】【課題】複数のプロジェクトを統括的、かつ容易に管理することができる機器管理システムを実現することを目的にする。【解決手段】本発明は、プロジェクトごとに設置される複数のフィールド機器の保全管理、監視を行う機器管理システムに改良を加えたものである。本システムは、プロジェクトごとに設けられ、プロジェクト内に設置されるフィールド機器との通信を行うと共に、フィールド機器の管理情報を保持するサーバセットと、サーバセットを少なくとも一つ指定し、この指定したサーバセットと通信を行い、指定したサーバセットが設けられるプロジェクト内のフィールド機器の保全管理、監視を行う管理端末とを有することを特徴とするものである。【選択図】        図１
2004192309.tif 000002
【特許請求の範囲】
【請求項１】
プロジェクトごとに設置される複数のフィールド機器の保全管理、監視を行う機器管理システムであって、
前記プロジェクトごとに設けられ、前記プロジェクト内に設置されるフィールド機器との通信を行うと共に、フィールド機器の管理情報を保持するサーバセットと、
前記サーバセットを少なくとも一つ指定し、この指定したサーバセットと通信を行い、前記指定したサーバセットが設けられるプロジェクト内のフィールド機器の保全管理、監視を行う管理端末と
を有することを特徴とする機器管理システム。
【請求項２】
サーバセットは、
前記フィールド機器および前記管理端末と通信を行うフィールド通信サーバと、
このフィールド通信サーバの通信履歴および前記フィールド機器それぞれの管理情報を保持するデータベースサーバと
を有することを特徴とする請求項１記載の機器管理システム。
【請求項３】
管理端末は、
前記サーバセットを特定するための内容を記憶する記憶手段と、
この記憶手段より所望のサーバセットを指定する指定手段と、
この指定手段によって指定されたサーバセットに通信要求を行うと共に、通信要求に対する通信結果よりフィールド機器の保全管理、監視を行う管理手段と、
この管理手段からの通信要求によって前記指定されたサーバセットと通信を行い、通信結果を前記管理手段に出力する通信手段と
を有することを特徴とする請求項１または２記載の機器管理システム。
【請求項４】
管理端末は、
前記サーバセットを特定するための内容を設定し、前記記憶手段に格納する設定手段を有することを特徴とする請求項３記載の機器管理システム。
【請求項５】
管理端末は、
前記管理手段による保全管理、監視の結果を所望の形式の表示データに変換して出力する表示処理手段と、
この表示処理手段の生成した表示データを表示画面に表示する表示部と
を有することを特徴とする請求項３または４記載の機器管理システム。
【請求項６】
表示処理手段は、サーバセットごとに前記表示部の表示画面にウィンドウを表示させることを特徴とする請求項５記載の機器管理システム。
【請求項７】
表示処理手段は、前記ウィンドウのタイトルバーに、少なくともサーバセットのサーバセット名を、表示することを特徴とする請求項６記載の機器管理システム。
【請求項８】
管理手段は、前記表示処理手段がサーバセットごとに表示するウィンドウ間で、前記フィールド機器のデータをコピーまたは移動することにより、前記サーバセットのデータベースサーバに管理情報の書き換え要求を行うことを特徴とする請求項６または７記載の機器管理システム。
【発明の詳細な説明】
【０００１】
【発明の属する技術分野】
本発明は、プロジェクトごとに設置される複数のフィールド機器の保全管理を行う機器管理システムに関し、詳しくは、複数のプロジェクトを統括的、かつ容易に管理することができる機器管理システムを実現することにある。
【０００２】
【従来の技術】
プラントの制御は、分散型制御システムが多く用いられるが、この分散型制御システムは、プラント内のプロジェクトと呼ばれる単位、例えば、生産ラインごとに設置される。そして、プラントの操業にあたって、ライフサイクルコストを最小限に抑えるために、プラントに設置されるフィールド機器の故障予知、メンテナンススケジュール、機器状態の確認等の保全管理、監視を行うことが重要である。そのため、プロジェクトごとにフィールド機器の保全管理をする機器管理システムが導入されている。（例えば、特許文献１、非特許文献１参照）。
【０００３】
そして機器管理システムは、このようなプラントを、管理端末であるパーソナルコンピュータ（以下、パソコンと略す）を用いて、保全管理を行っている
【０００４】
図７は、従来のプロジェクト単位に設けられる機器管理システムの構成例を示す図である。図７において、外部バス１００は汎用性のあるネットワークプロトコル、例えばイーサネット（登録商標）によるＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）でデータの伝送が行われる。内部バス２００、３００は、独自のネットワークプロトコルによってデータの伝送が行われる。
【０００５】
操作監視ステーションＨＩＳは、外部バス１００と内部バス２００に接続される。制御ステーションＦＣＳは、内部バス２００、３００に接続される。フィールド機器Ｆ１〜Ｆｎ（ｎは自然数）は、内部バス３００と接続される。もちろん操作監視ステーションＨＩＳ、制御監視ステーションＦＣＳは、分散配置され複数設けられる場合もあるが、ここでは１個づつ図示している。
【０００６】
パソコンＰＣは、外部バス１００と接続される。データベースサーバＤＢは、外部バス１００に接続される。フィールド通信サーバＦＳは、外部バス１００と内部バス２００に接続される。
【０００７】
このような機器管理システムの動作を説明する。
操作監視ステーションＨＩＳの監視下で、制御ステーションＦＣＳとフィールド機器Ｆ１〜Ｆｎによってプラント内のプロジェクトを制御する。そして、制御ステーションＦＣＳが、各フィールド機器Ｆ１〜Ｆｎのアラーム信号を検出すると、操作監視ステーションＨＩＳに送信し、操作監視ステーションＨＩＳが、アラーム信号をパソコンＰＣに出力する。
【０００８】
一方、パソコンＰＣが、操作監視ステーションＨＩＳからのアラーム信号とは独立して、フィールド通信サーバＦＳに所望のフィールド機器Ｆ１〜Ｆｎの情報取得を依頼する（図中の矢印Ａ）。この指示によってフィールド通信サーバＦＳが制御ステーションＦＣＳを介して、所望のフィールド機器のＦ１〜Ｆｎの情報を取得し（図中の矢印Ｂ）、パソコンＰＣに取得した情報を出力する（図中の矢印Ａ）。
【０００９】
そして、データベースサーバＤＢは、パソコンＰＣからの依頼によってフィールド通信サーバＦＳが行った通信の通信履歴、パソコＰＣと操作監視ステーションＨＩＳとのアラーム信号、各フィールド機器の管理情報（例えば、保全スケジュールや故障履歴等）を保持している。そして、パソコンＰＣが必要に応じて、データベースサーバＤＢから通信履歴や管理情報等の読み出しや、データベースサーバＤＢに管理情報を書き込む（図中の矢印Ｃ）。
【００１０】
このようにしてパソコンＰＣが取得した情報や、読み出した管理情報等からフィールド機器Ｆ１〜Ｆｎの状態を判断し、故障予知、メンテナンススケジュール、機器状態の確認等の保全管理、監視し、機器管理を行っている。また、ユーザに対して、パソコンＰＣの画面にフィールド機器Ｆ１〜Ｆｎの保全管理、監視の結果等の表示を行う。
【００１１】
ここで、フィールド通信サーバＦＳと操作監視ステーションＨＩＳは並列に外部バス１００と内部バス２００に接続されているが、パソコンＰＣがフィールド通信サーバＦＳにフィールド機器Ｆ１〜Ｆｎに関する情報の取得を依頼している。これは、操作監視ステーションＨＩＳの負担を減らし、信頼性を増すためである。
【００１２】
【特許文献１】
特開２００２−４１１３９号公報
【非特許文献１】
森宏、他３名「機器管理パッケージ”ＰＲＭ”」、横河技報、横河電機株式会社、２００１年、第４５巻、第３号、ｐ．１５３−１５６
【００１３】
【発明が解決しようとする課題】
図７に示す機器管理システムは、プロジェクトごとに設けられ、設けられたプロジェクト内におけるフィールド機器Ｆ１〜Ｆｎの機器管理を行っている。すなわち、プロジェクトごとに閉じた構成となっている。そして、フィールド機器Ｆ１〜Ｆｎは、プラントに実際に配置される機器以外にも、予備品の機器、点検中の機器、故障した機器等が多数存在している。また異なるプロジェクト間で同種のフィールド機器Ｆ１〜Ｆｎを用いていても、各プロジェクトごとにフィールド機器Ｆ１〜Ｆｎの管理を行っている。さらに近年は、プラント内に多数のプロジェクトが設けられたり、プラントが各地に設置されることが多くなっている。
【００１４】
しかしながら、図７に示す機器管理システムは、プロジェクトごとに閉じているため、複数のプロジェクトに跨ってフィールド機器の管理をする場合、プロジェクトごとにパソコンＰＣを操作して、フィールド機器Ｆ１〜Ｆｎの管理をする必要があった。そのため、プラントを操業するメーカは、プロジェクトを跨って、フィールド機器Ｆ１〜Ｆｎを統括的に管理することが難しいという問題が生じている。
【００１５】
そこで本発明の目的は、複数のプロジェクトを統括的、かつ容易に管理することができる機器管理システムを実現することにある。
【００１６】
【課題を解決するための手段】
請求項１記載の発明は、
プロジェクトごとに設置される複数のフィールド機器の保全管理、監視を行う機器管理システムであって、
前記プロジェクトごとに設けられ、前記プロジェクト内に設置されるフィールド機器との通信を行うと共に、フィールド機器の管理情報を保持するサーバセットと、
前記サーバセットを少なくとも一つ指定し、この指定したサーバセットと通信を行い、前記指定したサーバセットが設けられるプロジェクト内のフィールド機器の保全管理、監視を行う管理端末と
を有することを特徴とするものである。
【００１７】
請求項２記載の発明は、請求項１記載の発明において、
サーバセットは、
前記フィールド機器および前記管理端末と通信を行うフィールド通信サーバと、
このフィールド通信サーバの通信履歴および前記フィールド機器それぞれの管理情報を保持するデータベースサーバと
を有することを特徴とするものである。
【００１８】
請求項３記載の発明は、請求項１または２記載の発明において、
管理端末は、
前記サーバセットを特定するための内容を記憶する記憶手段と、
この記憶手段より所望のサーバセットを指定する指定手段と、
この指定手段によって指定されたサーバセットに通信要求を行うと共に、通信要求に対する通信結果よりフィールド機器の保全管理、監視を行う管理手段と、この管理手段からの通信要求によって前記指定されたサーバセットと通信を行い、通信結果を前記管理手段に出力する通信手段と
を有することを特徴とするものである。
【００１９】
請求項４記載の発明は、請求項３記載の発明において、
管理端末は、
前記サーバセットを特定するための内容を設定し、前記記憶手段に格納する設定手段を有することを特徴とするものである。
【００２０】
請求項５記載の発明は、請求項３または４記載の発明において、
管理端末は、
前記管理手段による保全管理、監視の結果を所望の形式の表示データに変換して出力する表示処理手段と、
この表示処理手段の生成した表示データを表示画面に表示する表示部と
を有することを特徴とするものである。
【００２１】
請求項６記載の発明は、請求項５記載の発明において、
表示処理手段は、サーバセットごとに前記表示部の表示画面にウィンドウを表示させることを特徴とするものである。
【００２２】
請求項７記載の発明は、請求項６記載の発明において、
表示処理手段は、前記ウィンドウのタイトルバーに、少なくともサーバセットのサーバセット名を、表示することを特徴とするものである。
【００２３】
請求項８記載の発明な、請求項６または７記載の発明において、
管理手段は、前記表示処理手段がサーバセットごとに表示するウィンドウ間で、前記フィールド機器のデータをコピーまたは移動することにより、前記サーバセットのデータベースサーバに管理情報の書き換え要求を行うことを特徴とするものである。
【００２４】
【発明の実施の形態】
以下図面を用いて本発明の実施の形態を説明する。
図１は本発明の実施の形態を示した構成図である。図７と同一のものは同一符号を付し、説明を省略する。図１において、プロジェクトＰｊ１〜Ｐｊ３は、パソコンＰＣ、フィールド通信サーバＦＳ、データベースサーバＤＢ、操作監視ステーションＨＩＳ、制御ステーションＦＣＳ、フィールド機器Ｆ１〜Ｆｎを有する。
【００２５】
各プロジェクトＰｊ１〜Ｐｊ３内に設けられるパソコンＰＣ、フィールド通信サーバＦＳ、データベースサーバＤＢ、操作監視ステーションＨＩＳ、制御ステーションＦＣＳ、フィールド機器Ｆ１〜Ｆｎは、図７に示す装置と同様に外部バス１００、内部バス２００、３００で接続される。
【００２６】
また、フィールド通信サーバＦＳは、フィールド機器Ｆ１〜Ｆｎとの通信を行う。データベースサーバＤＢは、フィールド通信サーバＦＳが行った通信の通信履歴、パソコＰＣと操作監視ステーションＨＩＳとのアラーム信号、各フィールド機器の管理情報（例えば、保全スケジュールや故障履歴等）を保持している。ここで、フィールド通信サーバＦＳとデータベースサーバＤＢとを組み合わせたものがサーバセットである。また、各プロジェクトＰｊ１〜Ｐｊ３それぞれのサーバセットをＳＶ１〜ＳＶ３とする。
【００２７】
管理端末１０は、パソコンＰＣよりも上位の管理端末である。また、管理端末１０は、外部バス１００を介して、各プロジェクトＰｊ１〜Ｐｊ３のサーバセットＳＶ１〜ＳＶ３を少なくとも一つ指定し、この指定したサーバセットＳＶ１〜ＳＶ３と通信を行い、フィールド機器Ｆ１〜Ｆｎの保全管理を行う。
【００２８】
管理端末１０の詳細な構成例を図２に示す。
図２において、入力手段１１は、例えば、キーボード、マウス、タッチパネル等であり、ユーザからコマンドが入力される。
【００２９】
記憶手段１２は、サーバセットＳＶ１〜ＳＶ３を特定するための内容が定義された定義ファイルを記憶する。定義ファイルは、サーバセットＳＶ１〜ＳＶ３、フィールド通信サーバＦＳ、データベースサーバＤＢそれぞれの名称が定義され、ＴＣＰ／ＩＰのネットワークプロトコルの送信先アドレスも定義される。また、サーバセットＳＶ１〜ＳＶ３が設けられるプロジェクトＰｊ１〜Ｐｊ３等も必要に応じて定義される。
【００３０】
指定手段１３は、入力手段１１からのコマンドによって、所望のサーバセットＳＶ１〜ＳＶ３を指定する。すなわち、記憶手段１２の所望の定義ファイルを指定し、定義ファイルの内容を出力する。
【００３１】
管理手段１４は、指定手段１３で指定された定義ファイルに基づくサーバセットＳＶ１〜ＳＶ３への通信要求を行うとともに、通信要求に対する通信結果よりフィールド機器Ｆ１〜Ｆｎの故障予知、メンテナンススケジュール、機器状態の確認等の保全管理、監視を行う。また、これらの保全管理、監視の結果を出力する。また、通信要求は定期的に出力したり、入力手段１１からのコマンドによって出力する。
【００３２】
通信手段１５は、管理手段１４からの通信要求を外部バス１００のネットワークプロトコルに変換してサーバセットＳＶ１〜ＳＶ３と通信を行い、通信結果を管理手段１３に出力する。
【００３３】
表示処理手段１６は、管理手段１４から出力されるフィールド機器Ｆ１〜Ｆｎの保全管理、監視の結果を所望の形式の表示データに変換して出力する。表示部１７は、表示処理手段１６から出力された表示データを表示画面に表示する。
【００３４】
このような装置の動作を説明する。
まず、管理端末１０が管理する対象のプロジェクトＰｊ１〜Ｐｊ３を指定するために、サーバセットを特定するための内容を記憶した定義ファイルを作成する動作を説明する。図示しない設定手段が、表示処理部１６を介して表示部１７に入力用のウィンドウを表示する。例えば、図３に示すサーバセット定義用のウィンドウを表示部１７に表示する。
【００３５】
図３において、ウィンドウ２０〜２２は、サーバセット名、フィールド通信サーバ名、データベースサーバ名の入力欄が表示される。図示しないがＩＰアドレス、プロジェクト名等を入力する欄を表示してもよい。そして、ユーザが、入力手段１１からウィンドウ２０〜２２に、サーバセット名、フィールド通信サーバ名、データベースサーバ名等を入力し、この入力されたコマンドに基づいて設定手段が定義ファイルを作成し、記憶手段１２に格納する。
【００３６】
続いて、指定手段１３がサーバセットＳＶ１〜ＳＶ３を指定し、管理手段１４が指定したサーバセットＳＶ１〜ＳＶ３の設けられるプロジェクトＰｊ１〜Ｐｊ３のフィールド機器Ｆ１〜Ｆｎを保全管理、監視する動作を説明する。また、図４に示すフローチャートを用いて説明する。
【００３７】
指定手段１３が、管理手段１４を介して表示処理手段１６に、サーバセットＳＶ１〜ＳＶ３を指定するウィンドウを表示部１７に表示させる。例えば、図５に示すウィンドウを表示部１７の表示画面に表示する（Ｓ１０）。
【００３８】
図５（ａ）は、ユーザがログインする場合の表示例であり、図５（ｂ）はログイン後の表示例である。図５（ａ）において、ウィンドウ３０は、ユーザ名、パスワード、サーバセットＳＶ１〜ＳＶ３のサーバセット名の入力欄が表示される。図５（ｂ）において、ウィンドウ３１は、メニューバー３２、メニュー３３が表示される。
【００３９】
そして、図５（ａ）に示すように、ユーザが入力手段１１から、ユーザＩＤ、パスワード、所望のサーバセットＳＶ１〜ＳＶ３のサーバセット名のコマンド入力を行い、入力手段１１が入力されたコマンドを指定手段１３に出力する（Ｓ１１）。
【００４０】
そして、指定手段１３が、入力手段１１からの所望のサーバセット名に対応する定義ファイルを読み出して指定し、指定した定義ファイルの内容を管理手段１４に出力する（Ｓ１２）。
【００４１】
また、ログイン後は、図５（ｂ）に示すように、指定手段１３が、ウィンドウ３１のメニューバー３２のメニュー３３に、新規のサーバセットの指定とは別に、既に指定したサーバセット名、ユーザＩＤを表示し、ユーザによるサーバセットの指定を容易にしてもよい。
【００４２】
そして、管理手段１４が、指定手段１３が指定した所望のサーバセットＳＶ１〜ＳＶ３のフィールド通信サーバＦＳ、データベースサーバＤＢに対する通信要求を通信手段１５に出力する（Ｓ１３）。
【００４３】
通信要求としては、各プロジェクトＰｊ１〜Ｐｊ３に設けられるパソコンＰＣがフィールド通信サーバＦＳ、データベースサーバＤＢに行う通信要求と同等であり、例えば、フィールド通信サーバＦＳに所望のフィールド機器Ｆ１〜Ｆｎに関する情報取得の依頼、データベースサーバＤＢにフィールド通信サーバＦＳが行った通信の通信履歴、パソコＰＣと操作監視ステーションＨＩＳとのアラーム信号、各フィールド機器の管理情報（例えば、保全スケジュールや故障履歴等）の読み出し要求、管理情報の書き込み要求等である。
【００４４】
そして、通信手段１５が管理手段１４からの通信要求を、外部バス１００のネットワークプロトコルに変換し、サーバセットＳＶ１〜ＳＶ３のデータベースサーバＤＢ、またはフィールド通信サーバＳＶと通信を行う。これにより、フィールド通信サーバＦＳが、制御ステーションＦＣＳを介して、フィールド機器Ｆ１〜Ｆｎの情報を取得し、通信手段１５に出力する。また、データベースサーバＤＢが、通信履歴、管理情報等を出力したり、管理情報の内容の変更を行う。これらの通信要求に対する通信結果を、通信手段１５が管理手段１４に出力する（Ｓ１４）。
【００４５】
そして、管理手段１４が、所望のプロジェクトＰｊ１〜Ｐｊ３内のフィールド機器Ｆ１〜Ｆｎの状態を判断し、故障予知、メンテナンススケジュール、機器状態の確認等の保全管理、監視し、機器管理を行う（Ｓ１５）。
【００４６】
さらに、管理手段１４が、表示処理手段１６にフィールド機器Ｆ１〜Ｆｎの保全管理、監視の結果等を出力し、表示処理手段１６が所望の表示データの形式に変換して、表示部１７の表示画面に表示する（Ｓ１６）。
【００４７】
このように、管理手段１４が、指定手段１３によって指定された所望のサーバセットＳＶ１〜ＳＶ３に、フィールド機器Ｆ１〜Ｆｎの情報の取得や、通信履歴、管理情報等の通信要求を行う。そして、所望のサーバセットＳＶ１〜ＳＶ３からの通信結果に基づき、フィールド機器Ｆ１〜Ｆｎの保全管理、監視をして機器管理を行うので、プロジェクトＰｊ１〜Ｐｊ３ごとに設けられる複数のパソコンＰＣを１台ずつ操作せずに、１台の管理端末１０でプロジェクトＰｊ１〜Ｐｊ３に跨ってフィールド機器Ｆ１〜Ｆｎの管理を行うことができる。これにより、複数のプロジェクトＰｊ１〜Ｐｊ３を統括的、かつ容易に管理することができる。従って、プラントを操業するメーカは、プロジェクトＰｊ１〜Ｐｊ３ごとに閉じた構成で機器を管理する必要が無く、余分な機器を保有せずに、効率よく機器を使用することができる。
【００４８】
なお、本発明はこれに限定されるものではなく、以下のようなものでもよい。図１に示す装置において、表示処理手段１６は、指定手段１３によって指定されるサーバセットＳＶ１〜ＳＶ３ごとに表示部１７の表示画面にウィンドウを表示してもよい。すなわち、図６に示すように表示する。図６において、メインウィンドウ３０は、ウィドウ内にサブウィンドウ３１〜３３を表示している。サブウィンドウ３１〜３３は、指定手段１３によって指定され、管理手段１４が通信要求を行ったサーバセットＳＶ１〜ＳＶ３に関するフィールド機器Ｆ１〜Ｆｎの情報が表示されている。
【００４９】
そして、サブウィンドウ３１〜３３のタイトルバー３１ａ〜３３ａには、指定されたサーバセット名、ユーザＩＤが表示される。これにより、サブウィンドウ３１〜３３が、どのサーバセットＳＶ１〜ＳＶ３を指定しているか容易に判断することができる。もちろん、タイトルバー３１ａ〜３３ａは、サーバセット名だけの表示でもよい。
【００５０】
さらに、例えば、サブウィンドウ３１の所望のフィールド機器のＩＤ、タグ、アイコン等が入力手段１１のマウスによって、サブウィンドウ３２にコピー、または移動されると、管理手段１４が、サブウィンドウ３１、３２に対応するサーバセットＳＶ１〜ＳＶ３のデータベースサーバＤＢに管理情報の書き換えを要求する。
【００５１】
このように、サブウィンドウ３１〜３３上で、異なるプロジェクト間Ｐｊ１〜Ｐｊ３のフィールド機器Ｆ１〜Ｆｎのデータをコピー、または移動することによって、管理手段１４が、サーバセットＳＶ１〜ＳＶ３のデータベースサーバＤＢの書き換え要求を行う。これにより、複数のプロジェクトを統括的、かつ容易に管理することができる。
【００５２】
すなわち、例えば、プロジェクトＰｊ１のフィールド機器Ｆ１を、プロジェクトＰｊ２に実際に物理的に移動して設置した場合、従来は、ユーザがプロジェクトＰｊ１のパソコンＰＣを操作して、プロジェクトＰｊ１のデータベースサーバＤＢからフィールド機器Ｆ１のデータを読み出す。その後プロジェクトＰｊ２のパソコンＰＣを操作して、プロジェクトＰｊ２のデータベースサーバＤＢにフィールド機器Ｆ１のデータを書き込む必要があった。一方、１台の管理端末１０の表示部１７の表示画面上で、所望のフィールド機器Ｆ１をサブウィンドウ３１〜３３間で移動すればよく複数のパソコンＰＣを操作する必要がなく、時間もかからなず、作業の頻雑性も少ない。従って、複数のプロジェクトＰｊ１〜Ｐｊ３を統括的、かつ容易に管理することができる。
【００５３】
また、図１に示す装置において、プロジェクトＰｊ１〜Ｐｊ３が３個の構成を示したが、指定できるプロジェクトＰｊ１〜Ｐｊ３は、いくつでもよい。
【００５４】
また、図１に示す装置において、フィールド通信サーバＦＳが制御ステーションＦＣＳを介して、フィールド機器Ｆ１〜Ｆｎと通信を行う構成を示した。しかし、フィールド機器Ｆ１〜Ｆｎがフィールドバス規格の一つであるＦｏｕｎｄａｔｉｏｎ  Ｆｉｅｌｄｂｕｓ規格に準拠しフィールド通信機能や、自己診断機能を有するインテリジェントな機器の場合、フィールド通信サーバＦＳがフィールド機器Ｆ１〜Ｆｎと直接通信を行う構成とし、制御ステーションＦＣＳを設けなくてもよい。同様に、操作監視ステーションＨＩＳを設けない構成としても良い。
【００５５】
そして、図１に示す装置において、管理端末１０とサーバセットＳＶ１〜ＳＶ３との通信は、イントラネット経由でも、インターネット経由でもよい。
【００５６】
【発明の効果】
本発明によれば、管理端末がプロジェクトごとに設けられる複数のサーバセットのなかから、所望のサーバセットを指定し、指定したサーバセットと通信を行い、フィールド機器の保全管理を行うので、１台の管理端末で複数のプロジェクトに跨ってフィールド機器の管理を行うことができる。これにより、複数のプロジェクトを統括的、かつ容易に管理することができる。従って、プラントを操業するメーカは、プロジェクトごとに閉じた構成で機器を管理する必要が無く、余分な機器を保有せずに、効率よく機器を使用することができる。
【図面の簡単な説明】
【図１】本発明の一実施例を示した構成図である。
【図２】管理端末１０の構成例を示した図である。
【図３】サーバセット定義用のウィンドウの表示例を示した図である。
【図４】指定手段１３が指定したフィールド機器Ｆ１〜Ｆｎを保全管理、監視する動作を示したフローチャートである。
【図５】サーバセットＳＶ１〜ＳＶ３を指定するウィンドウの表示例を示した図である。
【図６】サーバセットＳＶ１〜ＳＶ３ごとにサブウィンドウ３１〜３３を表示した表示例を示した図である。
【図７】従来のプロジェクト単位の機器管理システムの構成例を示した図である。
【符号の説明】
１０  管理端末
１２  記憶手段
１３  指定手段
１４  管理手段
１５  通信手段
１６  表示処理手段
１７  表示部
ＤＢ  データベースサーバ
ＦＳ  フィールド通信サーバ
Ｆ１〜Ｆｎ  フィールド機器
Ｐｊ１〜Ｐｊ３  プロジェクト
ＳＶ１〜ＳＶ３  サーバセット
【図１】
2004192309.tif 000003
【図２】
2004192309.tif 000004
【図３】
2004192309.tif 000005
【図４】
2004192309.tif 000006
【図５】
2004192309.tif 000007
【図６】
2004192309.tif 000008
【図７】
2004192309.tif 000009